(57)【要約】【課題】操作卓が接続する監視制御サーバの短時間での切換えを可能とするとともに、操作卓でのメモリ使用量を低減することできる系統制御システムを提供する。【解決手段】ホスト計算機１１は、複数の監視制御サーバ２１〜２４から送られる監視エリアのデータを記憶する共有データ格納領域１１１と、仮想計算機として実装された複数の仮想操作卓１０１〜１０４とを備える。複数の仮想操作卓１０１〜１０４の各々は、監視エリアが設定可能であり、共有データ格納領域１１１内の設定された監視エリアのデータにアクセスする。【選択図】図１
2019207473.tif 000002
【特許請求の範囲】
【請求項１】
ホスト計算機と、複数の監視制御サーバとによって構成される系統制御システムであって、
前記複数の監視制御サーバの各々は、対応する監視エリアのデータを前記ホスト計算機へ向けて出力し、
前記ホスト計算機は、
前記複数の監視制御サーバから送られる前記監視エリアのデータを記憶する共有データ格納領域と、
仮想計算機として実装された複数の仮想操作卓とを備え、
前記複数の仮想操作卓の各々は、
監視エリアが設定可能であり、前記共有データ格納領域内の設定された監視エリアのデータにアクセスする、系統制御システム。
【請求項２】
前記複数の監視制御サーバの各々は、監視エリアのデータの変化があるごとに、前記変化した監視エリアのデータを前記ホスト計算機へ向けて出力する、請求項１記載の系統制御システム。
【請求項３】
前記複数の監視制御サーバの各々は、一定時間ごとに、前記監視エリアのデータを前記ホスト計算機へ向けて出力する、請求項１記載の系統制御システム。
【請求項４】
前記複数の仮想操作卓の各々は、
前記設定されている監視制御サーバと通信接続する、請求項１記載の系統制御システム。
【請求項５】
前記ホスト計算機は、複数のＣＰＵを備え、
前記複数の仮想操作卓の各々は、専用のＣＰＵが割り当てられ、
前記複数の仮想操作卓の各々は、同時に動作する、請求項１記載の系統制御システム。
【請求項６】
前記ホスト計算機は、１つのＣＰＵを備え、
前記複数の仮想操作卓の各々は、前記１つのＣＰＵが時分割で割り当てられ、
前記複数の仮想操作卓の各々は、時分割で動作する、請求項１記載の系統制御システム。
【発明の詳細な説明】
【技術分野】
【０００１】
本発明は、系統制御システムに関する。
【背景技術】
【０００２】
従来から、複数の操作卓と、複数のエリアを対象とする監視制御サーバとによって構成される系統制御システムが知られている（たとえば、特許文献１を参照）。
【０００３】
系統制御システムにおいては、運用の体制変更、および監視制御範囲の変更に柔軟に対応するため、操作卓から任意のエリアの監視制御サーバに接続可能とする機能が求められている。
【先行技術文献】
【特許文献】
【０００４】
【特許文献１】特開２００８−２９９６５８号公報
【発明の概要】
【発明が解決しようとする課題】
【０００５】
操作卓は、監視制御サーバのエリアに対応した設備などのデータを参照する必要がある。操作卓が、接続する監視制御サーバを切替える都度、監視制御サーバからデータをダウンロードする方式では、データのダウンロードに時間がかかり、切替え時の操作性が低下する。一方、操作卓に全ての監視制御サーバのデータを予め保持しておく方式では、データのダウンロードが不要となり、切替え時の操作性は向上するが、操作卓が大容量のメモリを備えなければならない。
【０００６】
特許文献１には、操作卓が接続する監視制御サーバの切替時間、および操作卓でのメモリ使用量に関して、記載されていない。
【０００７】
それゆえに、本発明の目的は、操作卓が接続する監視制御サーバの短時間での切換えを可能とするとともに、操作卓でのメモリ使用量を低減することできる系統制御システムを提供することである。
【課題を解決するための手段】
【０００８】
本発明の系統制御システムは、ホスト計算機と、複数の監視制御サーバとによって構成される。複数の監視制御サーバの各々は、対応する監視エリアのデータをホスト計算機へ向けて出力する。ホスト計算機は、複数の監視制御サーバから送られる監視エリアのデータを記憶する共有データ格納領域と、仮想計算機として実装された複数の仮想操作卓とを備える。複数の仮想操作卓の各々は、監視エリアが設定可能であり、共有データ格納領域内の設定された監視エリアのデータにアクセスする。
【発明の効果】
【０００９】
本発明によれば、複数の仮想操作卓の各々は、共有データ格納領域内の設定された監視エリアのデータにアクセスするので、操作卓が接続する監視制御サーバの短時間での切換えを可能とするとともに、操作卓でのメモリ使用量を低減することできる。
【図面の簡単な説明】
【００１０】
【図１】実施の形態１における系統制御システムの構成を示す図である。
【図２】ホスト計算機１１の詳細を示す図である。
【図３】参考例１の系統制御システムの構成を表わす図である。
【図４】参考例２の系統制御システムの構成を表わす図である。
【図５】参考例３の系統制御システムの構成を表わす図である。
【図６】仮想操作卓１０１の監視エリアをエリアＡからエリアＢに切り替える際のアプリケーションプログラムの動作手順を表わすフローチャートである。
【発明を実施するための形態】
【００１１】
以下、実施の形態について図面を参照して、説明する。
実施の形態１．
図１は、実施の形態１における系統制御システムの構成を示す図である。
【００１２】
この系統制御システムは、ホスト計算機１１と、ＩＰネットワーク３１と、エリアＡ監視制御サーバ２１と、エリアＢ監視制御サーバ２２と、エリアＣ監視制御サーバ２３と、エリアＤ監視制御サーバ２４とを備える。
【００１３】
ホスト計算機１１は、仮想操作卓１０１，１０２，１０３，１０４と、共有データ格納領域１１１とを備える。
【００１４】
共有データ格納領域１１１は、エリアＡ監視データを記憶する記憶部１２１と、エリアＢ監視データを記憶する記憶部１２２と、エリアＣ監視データを記憶する記憶部１２３と、エリアＤ監視データを記憶する記憶部１２４とを含む。
【００１５】
エリアＡ監視制御サーバ２１、エリアＢ監視制御サーバ２２、エリアＣ監視制御サーバ２３、エリアＤ監視制御サーバ２４、およびホスト計算機１１は、ＩＰネットワーク３１によって接続されている。
【００１６】
仮想操作卓１０１〜１０４のそれぞれは、共有データ格納領域１１１の記憶部１２１〜１２４にアクセスすることが可能である。
【００１７】
たとえば、仮想操作卓１０１の監視対象がエリアＡに設定されているときには、仮想操作卓１０１は、記憶部１２１にアクセスして、エリアＡ監視データを取得することができる。仮想操作卓１０１の監視対象がエリアＤに切り替えられたときには、仮想操作卓１０１は、記憶部１２４にアクセスしてエリアＤ監視データを取得することができる。
【００１８】
仮想操作卓１０１〜１０４は、仮想計算機として実装される。仮想操作卓１０１〜１０４の各々は、監視エリアが設定可能である。仮想操作卓１０１〜１０４の各々は、共有データ格納領域１１１内の設定された監視エリアのデータにアクセスする。
【００１９】
エリアＡ監視制御サーバ２１は、エリアＡを監視し、エリアＡ監視データを作成および管理する。エリアＡ監視制御サーバ２１は、エリアＡ監視データが更新された時点で、共有データ格納領域１１１の記憶部１２１に記憶されているエリアＡ監視データを更新する。エリアＢ監視制御サーバ２２は、エリアＢを監視し、エリアＢ監視データを作成および管理する。エリアＢ監視制御サーバ２２は、エリアＢ監視データが更新された時点で、共有データ格納領域１１１の記憶部１２２に記憶されているエリアＢ監視データを更新する。エリアＣ監視制御サーバ２３は、エリアＣを監視し、エリアＣ監視データを作成および管理する。エリアＣ監視制御サーバ２３は、エリアＣ監視データが更新された時点で、共有データ格納領域１１１の記憶部１２３に記憶されているエリアＣ監視データを更新する。エリアＤ監視制御サーバ２４は、エリアＤを監視し、エリアＤ監視データを作成および管理する。エリアＤ監視制御サーバ２４は、エリアＤ監視データが更新された時点で、共有データ格納領域１１１の記憶部１２４に記憶されているエリアＤ監視データを更新する。
【００２０】
図２は、ホスト計算機１１の詳細を示す図である。
ホスト計算機１１は、ハードウエア装置３０８と、ハイパーバイザ３０７と、仮想操作卓１０１，１０２，１０３，１０４とを備える。
【００２１】
仮想操作卓１０１は、ＯＳ２２１と、アプリケーションプログラム２０１と、共有データ格納領域アクセス部２１１とを備える。仮想操作卓１０２〜１０４も、仮想操作卓１０１と同様の構成を備える。
【００２２】
ハードウエア装置３０８は、バス３０２と、プロセッサ３０１と、表示装置３０３と、入力装置３０４と、メモリ３０５と、通信装置３００とを備える。プロセッサ３０１、表示装置３０３、入力装置３０４、メモリ３０５、および通信装置３００は、バス３０２と接続される。
【００２３】
プロセッサ３０１は、１つのＣＰＵ（Central Processing Unit）または複数のＣＰＵを備える。仮想操作卓１０１〜１０４に、１つのＣＰＵが時分割で割り当てられる場合に、仮想操作卓１０１〜１０４は、時分割で並列動作する。仮想操作卓１０１〜１０４の各々に、専用のＣＰＵが割り当てられる場合には、仮想操作卓１０１〜１０４は、同時に動作する。
【００２４】
メモリ３０５には、ハイパーバイザ３０７がロードされる。メモリ３０５は、図１の共有データ格納領域１１１を含む。
【００２５】
表示装置３０３は、ディスプレイ、またはプロジェクタ等で構成される。表示装置３０３は、仮想操作卓１０１〜１０４で生成された監視エリアの画面などを表示する。
【００２６】
入力装置３０４は、キーボード、マウス、タッチパネル、カメラ、マイクなどによって構成され、オペレータからのデータを受ける。入力装置３０４から入力されたデータは、仮想操作卓１０１〜１０４の操作に用いられる。
【００２７】
ハイパーバイザ３０７は、仮想操作卓１０１〜１０４の各々に対して、プロセッサ３０１、およびメモリ３０５の一部の領域などを割当てることによって、単一の計算機が動作しているかのような環境（すなわち、仮想計算機環境）を提供する。
【００２８】
仮想操作卓１０１では、ＯＳ２２１上でアプリケーションプログラム２０１と、共有データ格納領域アクセス部２１１とが動作する。仮想操作卓１０２〜１０４も、同様である。
【００２９】
共有データ格納領域アクセス部２１１は、メモリ３０５内の共有データ領域格納部１１１内の設定された監視エリアのデータにアクセスする。
【００３０】
アプリケーションプログラム２０１は、以下の機能を実行するためプログラムである。
アプリケーションプログラム２０１は、入力装置３０４からの監視エリアの切替指示を受ける。アプリケーションプログラム２０１は、切替指示に従って、監視エリアを設定することができる。アプリケーションプログラム２０１は、共有データ格納領域アクセス部２１１を指示して、共有データ格納領域１１１内の設定された監視エリアの監視データにアクセスする。アプリケーションプログラム２０１は、設定された監視エリアの監視データに基づいて、設定された監視エリアの画面を表示装置３０３に出力する。アプリケーションプログラム２０１は、設定された監視エリアを担当する監視制御サーバ２１〜２４と通信接続し、その監視制御サーバ２１〜２４に処理を指示する。
【００３１】
次に、本実施の形態の系統制御システムと相違する他の系統制御制御システムの問題点について説明する。
【００３２】
図３は、参考例１の系統制御システムの構成を表わす図である。
参考例１の系統制御システムは、１台の計算機で構成される操作卓５５１を備える。操作卓５５１は、制御部５５３と、記憶部５５２とを備える。
【００３３】
記憶部５５２は、監視エリアの監視データを記憶する。記憶部５５２は、監視エリアがエリアＡのときには、エリアＡ監視データを記憶する。記憶部５５２は、監視エリアがエリアＢのときには、エリアＢ監視データを記憶する。記憶部５５２は、監視エリアがエリアＣのときには、エリアＣ監視データを記憶する。記憶部５５２は、監視エリアがエリアＤのときには、エリアＤ監視データを記憶する。
【００３４】
制御部５５３は、オペレータからの指示に従って、複数の監視エリアの中から１つの監視エリアを選択して切り替えることができる。制御部５５３は、監視エリアをエリアＡに切り替えたときには、エリアＡ監視制御サーバ２１のエリアＡ監視データをダウンロードする。制御部５５３は、監視エリアをエリアＢに切り替えたときには、エリアＢ監視制御サーバ２２のエリアＢ監視データをダウンロードする。制御部５５３は、監視エリアをエリアＣに切り替えたときには、エリアＣ監視制御サーバ２３のエリアＣ監視データをダウンロードする。制御部５５３は、監視エリアをエリアＤに切り替えたときには、エリアＤ監視制御サーバ２４のエリアＤ監視データをダウンロードする。
【００３５】
制御部５５３は、監視エリアのデータに基づいて、監視対象エリアの状態を表わす画面を表示することができる。また、制御部５５３は、オペレータの操作を受けて、監視エリアに対応する監視制御サーバ２１〜２４に対して、処理を指示することができる。
【００３６】
参考例１の系統制御システムでは、１台の計算機で操作卓を構成するので、系統制御システムの規模を小さくすることができる。しかし、操作卓が監視エリアを切り替える都度、操作卓は、監視エリアのデータをダウンロードしなければならない。そのため、監視エリアの切替時に時間を要する。
【００３７】
図４は、参考例２の系統制御システムの構成を表わす図である。
参考例２の系統制御システムは、操作卓７５１，７５２，７５３，７５４を備える。
【００３８】
操作卓７５１は、エリアＡのみを監視対象とする。操作卓７５１は、１台の計算機によって構成される。操作卓７５１は、制御部７６１と、記憶部７７１とを備える。記憶部７７１は、エリアＡ監視制御サーバ２１から送られるエリアＡ監視データを記憶する。制御部７６１は、エリアＡ監視データに基づいて、エリアＡの画面の表示の制御、およびエリアＡ監視制御サーバ２１の制御などを実行する。
【００３９】
操作卓７５２は、エリアＢのみを監視対象とする。操作卓７５２は、１台の計算機によって構成される。操作卓７５２は、制御部７６２と、記憶部７７２とを備える。記憶部７７２は、エリアＢ監視制御サーバ２２から送られるエリアＢ監視データを記憶する。制御部７６２は、エリアＢ監視データに基づいて、エリアＢの画面の表示の制御、およびエリアＢ監視制御サーバ２２の制御などを実行する。
【００４０】
操作卓７５３は、エリアＣのみを監視対象とする。操作卓７５３は、１台の計算機によって構成される。操作卓７５３は、制御部７６３と、記憶部７７３とを備える。記憶部７７３は、エリアＣ監視制御サーバ２３から送られるエリアＣ監視データを記憶する。制御部７６３は、エリアＣ監視データに基づいて、エリアＣの画面の表示の制御、およびエリアＣ監視制御サーバ２３の制御などを実行する。
【００４１】
操作卓７５４は、エリアＤのみを監視対象とする。操作卓７５４は、１台の計算機によって構成される。操作卓７５４は、制御部７６４と、記憶部７７４とを備える。記憶部７７４は、エリアＤ監視制御サーバ２４から送られるエリアＤ監視データを記憶する。制御部７６４は、エリアＤ監視データに基づいて、エリアＤの画面の表示の制御、およびエリアＤ監視制御サーバ２４の制御などを実行する。
【００４２】
参考例２では、複数の計算機を用いて複数の操作卓を構成するので、系統制御システムの規模が大型化する。また、参考例２では、１つの操作卓は、１つのエリアしか監視対象としていない。よって、たとえば、操作卓７５１を使用するオペレータがエリアＢを監視したくても、監視することができず、操作卓７５２を使用するために、操作卓７５２が設置されている場所まで移動しなければならない。
【００４３】
図５は、参考例３の系統制御システムの構成を表わす図である。
参考例３の系統制御システムは、操作卓６５１，６５２，６５３，６５４を備える。
【００４４】
操作卓６５１は、１台の計算機によって構成される。操作卓６５１は、制御部６６１と、記憶部６７１とを備える。記憶部６７１は、エリアＡ監視制御サーバ２１から送られるエリアＡ監視データ、エリアＢ監視制御サーバ２２から送られるエリアＢ監視データ、エリアＣ監視制御サーバ２３から送られるエリアＣ監視データ、およびエリアＤ監視制御サーバ２４から送られるエリアＤ監視データを記憶する。制御部６６１は、監視エリアを切り替えることができる。制御部６６１は、監視エリアがエリアＡに設定されたときには、エリアＡ監視データに基づいて、エリアＡの画面の表示の制御、およびエリアＡ監視制御サーバ２１の制御などを実行する。制御部６６１は、監視エリアがエリアＢに設定されたときには、エリアＢ監視データに基づいて、エリアＢの画面の表示の制御、およびエリアＢ監視制御サーバ２２の制御などを実行する。制御部６６１は、監視エリアがエリアＣに設定されたときには、エリアＣ監視データに基づいて、エリアＣの画面の表示の制御、およびエリアＣ監視制御サーバ２３の制御などを実行する。制御部６６１は、監視エリアがエリアＤに設定されたときは、エリアＤ監視データに基づいて、エリアＤの画面の表示の制御、およびエリアＤ監視制御サーバ２４の制御などを実行する。
【００４５】
操作卓６５２は、１台の計算機によって構成される。操作卓６５２は、制御部６６２と、記憶部６７２とを備える。記憶部６７２は、エリアＡ監視制御サーバ２１から送られるエリアＡ監視データ、エリアＢ監視制御サーバ２２から送られるエリアＢ監視データ、エリアＣ監視制御サーバ２３から送られるエリアＣ監視データ、およびエリアＤ監視制御サーバ２４から送られるエリアＤ監視データを記憶する。制御部６６２は、監視エリアを切り替えることができる。制御部６６２は、監視エリアがエリアＡに設定されたときには、エリアＡ監視データに基づいて、エリアＡの画面の表示の制御、およびエリアＡ監視制御サーバ２１の制御などを実行する。制御部６６２は、監視エリアがエリアＢに設定されたときには、エリアＢ監視データに基づいて、エリアＢの画面の表示の制御、およびエリアＢ監視制御サーバ２２の制御などを実行する。制御部６６２は、監視エリアがエリアＣに設定されたときには、エリアＣ監視データに基づいて、エリアＣの画面の表示の制御、およびエリアＣ監視制御サーバ２３の制御などを実行する。制御部６６２は、監視エリアがエリアＤに設定されたときは、エリアＤ監視データに基づいて、エリアＤの画面の表示の制御、およびエリアＤ監視制御サーバ２４の制御などを実行する。
【００４６】
操作卓６５３は、１台の計算機によって構成される。操作卓６５３は、制御部６６３と、記憶部６７３とを備える。記憶部６７３は、エリアＡ監視制御サーバ２１から送られるエリアＡ監視データ、エリアＢ監視制御サーバ２２から送られるエリアＢ監視データ、エリアＣ監視制御サーバ２３から送られるエリアＣ監視データ、およびエリアＤ監視制御サーバ２４から送られるエリアＤ監視データを記憶する。制御部６６３は、監視エリアを切り替えることができる。制御部６６３は、監視エリアがエリアＡに設定されたときには、エリアＡ監視データに基づいて、エリアＡの画面の表示の制御、およびエリアＡ監視制御サーバ２１の制御などを実行する。制御部６６３は、監視エリアがエリアＢに設定されたときには、エリアＢ監視データに基づいて、エリアＢの画面の表示の制御、およびエリアＢ監視制御サーバ２２の制御などを実行する。制御部６６３は、監視エリアがエリアＣに設定されたときには、エリアＣ監視データに基づいて、エリアＣの画面の表示の制御、およびエリアＣ監視制御サーバ２３の制御などを実行する。制御部６６３は、監視エリアがエリアＤに設定されたときは、エリアＤ監視データに基づいて、エリアＤの画面の表示の制御、およびエリアＤ監視制御サーバ２４の制御などを実行する。
【００４７】
操作卓６５４は、１台の計算機によって構成される。操作卓６５４は、制御部６６４と、記憶部６７４とを備える。記憶部６７４は、エリアＡ監視制御サーバ２１から送られるエリアＡ監視データ、エリアＢ監視制御サーバ２２から送られるエリアＢ監視データ、エリアＣ監視制御サーバ２３から送られるエリアＣ監視データ、およびエリアＤ監視制御サーバ２４から送られるエリアＤ監視データを記憶する。制御部６６４は、監視エリアを切り替えることができる。制御部６６４は、監視エリアがエリアＡに設定されたときには、エリアＡ監視データに基づいて、エリアＡの画面の表示の制御、およびエリアＡ監視制御サーバ２１の制御などを実行する。制御部６６４は、監視エリアがエリアＢに設定されたときには、エリアＢ監視データに基づいて、エリアＢの画面の表示の制御、およびエリアＢ監視制御サーバ２２の制御などを実行する。制御部６６４は、監視エリアがエリアＣに設定されたときには、エリアＣ監視データに基づいて、エリアＣの画面の表示の制御、およびエリアＣ監視制御サーバ２３の制御などを実行する。制御部６６４は、監視エリアがエリアＤに設定されたときは、エリアＤ監視データに基づいて、エリアＤの画面の表示の制御、およびエリアＤ監視制御サーバ２４の制御などを実行する。
【００４８】
参考例３では、参考例２と同様に、複数の計算機を用いて複数の操作卓を構成するので、系統制御システムの規模が大型化する。さらに、参考例３では、参考例２と異なり、１つの操作卓は、すべてのエリアを監視対象とすることができるが、各操作卓の記憶部には、すべてのエリアのデータを記憶しなければならないので、各操作卓の記憶部の記憶容量を大きくしなければならない。
【００４９】
次に、仮想操作卓による監視エリアの切替手順を説明する。
図６は、仮想操作卓１０１の監視エリアをエリアＡからエリアＢに切り替える際のアプリケーションプログラムの動作手順を表わすフローチャートである。
【００５０】
ステップＳ１０２において、仮想操作卓１０１のアプリケーションプログラム２０１は、旧エリアＡを担当するエリアＡ監視制御サーバ２１との通信接続を切断する。これによって、仮想操作卓１０１とエリアＡ監視制御サーバ２１との間の通信が不可能となる。
【００５１】
ステップＳ１０３において、仮想操作卓１０１のアプリケーションプログラム２０１は、共有データ格納領域アクセス部２１１を指示して、共有データ格納領域アクセス部２１１は、共有データ格納領域１１１にアクセスして、新エリアＢ用のエリアＢ監視データを取得する。
【００５２】
ステップＳ１０４において、仮想操作卓１０１のアプリケーションプログラム２０１は、新エリアＢを担当するエリアＢ監視制御サーバ２２と通信接続する。これによって、仮想操作卓１０１とエリアＢ監視制御サーバ２２との間の通信が可能となる。
【００５３】
以上のように、本実施の形態によれば、操作卓が接続する監視制御サーバの短時間での切換えが可能となるとともに、操作卓でのメモリ使用量を低減することができる。
【００５４】
（変形例）
上記の実施形態では、監視制御サーバ２１〜２４は、対応するエリアの監視データが更新された時点で、共有データ格納領域１１１に記憶されている監視データを更新するものとしたが、これに限定するものではない。
【００５５】
たとえば、監視制御サーバ２１〜２４は、一定時間ごとに共有データ格納領域１１１に記憶されている監視データを更新するものとしてもよい。すなわち、エリアＡ監視制御サーバ２１は、一定時間ごとに、共有データ格納領域１１１の記憶部１２１に記憶されているエリアＡ監視データを更新する。エリアＢ監視制御サーバ２２は、一定時間ごとに、共有データ格納領域１１１の記憶部１２２に記憶されているエリアＢ監視データを更新する。エリアＣ監視制御サーバ２３は、一定時間ごとに、共有データ格納領域１１１の記憶部１２３に記憶されているエリアＣ監視データを更新する。エリアＤ監視制御サーバ２４は、一定時間ごとに、共有データ格納領域１１１の記憶部１２４に記憶されているエリアＤ監視データを更新する。これらの監視データの更新は、非同期で行われるものとしてもよい。
【００５６】
今回開示された実施の形態はすべての点で例示であって制限的なものではないと考えられるべきである。本開示の範囲は上記した説明ではなくて特許請求の範囲によって示され、特許請求の範囲と均等の意味および範囲内でのすべての変更が含まれることが意図される。
【符号の説明】
【００５７】
１１  ホスト計算機、２１  エリアＡ監視制御サーバ、２２  エリアＢ監視制御サーバ、２３  エリアＣ監視制御サーバ、２４  エリアＤ監視制御サーバ、３１  ＩＰネットワーク、１０１〜１０４  仮想操作卓、１１１  共有データ格納領域、１２１〜１２４，５５２，６７１〜６７４，７７１〜７７４  記憶部、２０１〜２０４  アプリケーションプログラム、２１１〜２１４  共有データ格納領域アクセス部、２２１〜２２４  ＯＳ、３００  通信装置、３０１  プロセッサ、３０２  バス、３０３  表示装置、３０４  入力装置、３０５  メモリ、３０７  ハイパーバイザ、３０８  ハードウエア装置、５５１，６５１〜６５４，７５１〜７５４  操作卓、５５３，６６１〜６６４，７６１〜７６４  制御部。 
【図１】
2019207473.tif 000003
【図２】
2019207473.tif 000004
【図３】
2019207473.tif 000005
【図４】
2019207473.tif 000006
【図５】
2019207473.tif 000007
【図６】
2019207473.tif 000008